(57)【要約】【課題】複数の操作キー中の１つの操作キーを操作するというきわめて簡単な操作で、入力装置，出力装置を含むシステム全体の状況に応じて最適な操作指示を完了することである。【解決手段】携帯電話１のコントローラは、複数の操作キー中の１つの操作キーの操作指示に連動して、現在の入力装置，出力装置の動作状態の識別結果に従い、デジタルカメラ２と通信可能な場合は第１の入力処理を選択し、プリンタ３と通信可能な場合は第１の出力処理を選択し、入力装置と通信不可能で、かつ前記出力装置と通信不可能な場合、第１の接続処理を選択する構成を特徴とする。【選択図】　　　図１
2004112007.tif 000002
【特許請求の範囲】
【請求項１】
通信機能処理に必要な複数の操作キーを備え、通信網に接続してデータ通信を行うための第１の通信機能と、所定の入力装置と所定の出力装置とデータ通信を行うための第２の通信機能とを備える端末装置であって、
前記複数の操作キー中の１つの操作キーが操作された際、前記第２の通信機能を利用して入力装置と出力装置と通信が可能かどうかを識別する通信識別手段と、
前記通信識別手段の識別結果に応じて、前記入力装置から送信される所定のデータを入力する第１の入力手段と、
前記第１の入力手段により入力した前記所定のデータを前記出力装置に出力する第１の出力手段と、
前記通信識別手段による識別結果に従い、前記第１の入力手段による第１の入力処理、前記第１の出力手段による第１の出力処理、前記通信網に接続してデータ通信を行う第１の接続処理のいずれかを選択する選択手段とを備え、
前記選択手段は、前記入力装置と通信可能な場合は前記第１の入力処理を選択し、前記出力装置と通信可能な場合は前記第１の出力処理を選択し、前記入力装置と通信不可能で、かつ前記出力装置と通信不可能な場合、前記第１の接続処理を選択することを特徴とする端末装置。
【請求項２】
表示装置と、通信機能処理に必要な複数の操作キーを備え、通信網に接続してデータ通信を行うための第１の通信機能と、所定の入力装置と所定の出力装置とデータ通信を行うための第２の通信機能とを備える端末装置であって、
前記複数の操作キー中の１つの操作キーが操作された際、前記第２の通信機能を利用して入力装置と出力装置と通信が可能かどうかを識別する通信識別手段と、
前記入力装置から送信される所定のデータを入力して前記表示装置に表示する第２の入力手段と、
前記通信網に接続してデータ通信により前記通信網上からネット情報を取得して前記表示装置に表示する第３の入力手段と、
前記第２の入力手段により入力してあるいは第３の入力手段により取得して前記表示装置に表示されている前記所定のデータを前記出力装置に出力する第２の出力手段と、
前記通信識別手段による識別結果に従い、前記第２の入力手段による第２の入力処理、前記第２の出力手段による第２の出力処理、前記通信網に接続してデータ通信によりネット情報を取得する第２の接続処理のいずれかを選択する選択手段とを備え、
前記選択手段は、前記入力装置と通信可能な場合は前記第２の入力処理を選択し、前記出力装置と通信可能な場合は前記第２の出力処理を選択し、前記入力装置と通信不可能で、かつ前記出力装置と通信不可能な場合は前記第２の接続処理を選択することを特徴とする端末装置。
【請求項３】
通信網に接続してデータ通信を行うための第１の通信機能と、所定の入力装置と複数の操作キーを備える所定の出力装置とデータ通信を行うための第２の通信機能とを備える端末装置であって、
前記出力装置の複数の操作キー中の１つの操作キーが操作された際、前記第２の通信機能を利用して入力装置と出力装置と通信が可能かどうかを識別する通信識別手段と、
前記通信識別手段の識別結果に応じて、前記入力装置から送信される所定のデータを入力する第１の入力手段と、
前記第１の入力手段により入力した前記所定のデータを前記出力装置に出力する第１の出力手段と、
前記通信識別手段による識別結果に従い、前記所定のデータを前記出力装置に対して出力する第１の入出力処理、前記通信網に接続して取得されるネット情報を前記出力装置に対して出力する第１の接続出力処理のいずれかを選択する選択手段とを備え、
前記選択手段は、前記入力装置が前記出力装置と通信可能な場合は前記第１の入出力処理を選択し、前記入力装置と通信不可能で、かつ前記出力装置と通信可能な場合、前記第１の接続出力処理を選択することを特徴とする端末装置。
【請求項４】
通信網に接続してデータ通信を行うための第１の通信機能と、所定の入力装置と複数の操作キーを備える所定の出力装置とデータ通信を行うための第２の通信機能とを備える端末装置であって、
前記出力装置の複数の操作キー中の１つの操作キーが操作された際、前記第２の通信機能を利用して入力装置と出力装置と通信が可能かどうかを識別する通信識別手段と、
前記通信識別手段の識別結果に応じて、前記入力装置から送信される所定のデータを入力する第１の入力手段と、
前記第１の入力手段により入力した前記所定のデータを前記出力装置に出力する第１の出力手段と、
前記通信識別手段による識別結果に従い、前記所定のデータを前記出力装置に出力する第２の入出力処理、前記通信網に接続して取得されるネット情報を前記表示装置に表示し、前記出力装置に対して出力する第２の接続出力処理と、前記表示装置に表示されている情報を前記出力装置に対して出力する第２の出力処理のいずれかを選択する選択手段とを備え、
前記選択手段は、前記入力装置が前記出力装置と通信可能な場合は前記第２の入出力処理を選択し、前記入力装置と通信不可能で、かつ前記出力装置と通信可能で前記表示装置に入力情報が表示されていない場合は前記第２の接続出力処理を選択し、前記入力装置と通信不可能で、かつ前記出力装置と通信可能で前記表示装置に入力情報が表示されている場合は第２の出力処理を選択することを特徴とする端末装置。
【請求項５】
前記複数の操作キー中の１つの操作キーは、キー入力を取り消す取消しキーであることを特徴とする請求項１または２記載の端末装置。
【請求項６】
前記キー入力を取り消す取消しキーが操作指示された場合に、前記選択手段により選択されて実行中のいずれかの処理を中止することを特徴とする請求項１または２記載の端末装置。
【請求項７】
前記複数の操作キー中の１つの操作キーは、通話制御を指示するキーが兼ねることを特徴とする請求項１または２記載の端末装置。
【請求項８】
前記複数の操作キー中の１つの操作キーは、前記出力装置を初期化するためのキーが兼ねることを特徴とする請求項３または４記載の端末装置。
【請求項９】
前記出力装置に対する出力設定を行う設定手段を備え、第１の出力手段は、前記設定手段により設定される出力設定に従い前記第１の出力処理を行うことを特徴とする請求項１記載の端末装置。
【請求項１０】
前記出力装置に対する出力設定を行う設定手段を備え、第２の出力手段は、前記設定手段により設定される出力設定に従い前記第２の出力処理を行うことを特徴とする請求項２記載の端末装置。
【請求項１１】
所定の入力装置と、所定の出力装置と、通信機能処理に必要な複数の操作キーを備え、通信網に接続してデータ通信を行うための第１の通信機能と前記所定の入力装置と前記所定の出力装置とデータ通信を行うための第２の通信機能とを備える端末装置とからなるデータ通信システムであって、
前記複数の操作キー中の１つの操作キーが操作された際、前記第２の通信機能を利用して入力装置と出力装置と通信が可能かどうかを識別する通信識別手段と、
前記通信識別手段の識別結果に応じて、前記入力装置から送信される所定のデータを入力する第１の入力手段と、
前記第１の入力手段により入力した前記所定のデータを前記出力装置に出力する第１の出力手段と、
前記通信識別手段による識別結果に従い、前記第１の入力手段による第１の入力処理、前記第１の出力手段による第１の出力処理、前記通信網に接続してデータ通信を行う第１の接続処理のいずれかを選択する選択手段とを備え、
前記選択手段は、前記入力装置と通信可能な場合は前記第１の入力手段による第１の入力処理を選択し、前記出力装置と通信可能な場合は前記第１の出力手段による第１の出力処理を選択し、前記入力装置と通信不可能で、かつ前記出力装置と通信不可能な場合、前記第１の接続処理を選択することを特徴とするデータ通信システム。
【請求項１２】
所定の入力装置と、所定の出力装置と、通信機能処理に必要な複数の操作キーを備え、通信網に接続してデータ通信を行うための第１の通信機能と前記所定の入力装置と前記所定の出力装置とデータ通信を行うための第２の通信機能とを備える端末装置とからなるデータ通信システムであって、
前記複数の操作キー中の１つの操作キーが操作された際、前記第２の通信機能を利用して入力装置と出力装置と通信が可能かどうかを識別する通信識別手段と、
前記入力装置から送信される所定のデータを入力して前記表示装置に表示する第２の入力手段と、
前記通信網に接続してデータ通信により前記通信網上からネット情報を取得して前記表示装置に表示する第３の入力手段と、
前記第２の入力手段により入力してあるいは第３の入力手段により取得して前記表示装置に表示されている前記所定のデータを前記出力装置に出力する第２の出力手段と、
前記通信識別手段による識別結果に従い、前記第２の入力手段による第２の入力処理、前記第２の出力手段による第２の出力処理、前記通信網に接続してデータ通信によりネット情報を取得する第２の接続処理のいずれかを選択する選択手段とを備え、
前記選択手段は、前記入力装置と通信可能な場合は前記第２の入力手段による第２の入力処理を選択し、前記出力装置と通信可能な場合は前記第２の出力手段による第２の出力処理を選択し、前記入力装置と通信不可能で、かつ前記出力装置と通信不可能な場合、前記第２の接続処理を選択することを特徴とするデータ通信システム。
【請求項１３】
通信網に接続してデータ通信を行うための第１の通信機能と、所定の入力装置と複数の操作キーを備える所定の出力装置とデータ通信を行うための第２の通信機能とを備える端末装置とからなるデータ通信システムであって、
前記出力装置の複数の操作キー中の１つの操作キーが操作された際、前記第２の通信機能を利用して入力装置と出力装置と通信が可能かどうかを識別する通信識別手段と、
前記通信識別手段の識別結果に応じて、前記入力装置から送信される所定のデータを入力する第１の入力手段と、
前記第１の入力手段により入力した前記所定のデータを前記出力装置に出力する第１の出力手段と、
前記通信識別手段による識別結果に従い、前記所定のデータを前記出力装置に対して出力する第１の入出力処理、前記通信網に接続して取得されるネット情報を前記出力装置に対して出力する第１の接続出力処理のいずれかを選択する選択手段とを備え、
前記選択手段は、前記入力装置が前記出力装置と通信可能な場合は前記第１の入出力処理を選択し、前記入力装置と通信不可能で、かつ前記出力装置と通信可能な場合、前記第１の接続出力処理を選択することを特徴とするデータ通信システム。
【請求項１４】
通信網に接続してデータ通信を行うための第１の通信機能と、所定の入力装置と複数の操作キーを備える所定の出力装置とデータ通信を行うための第２の通信機能とを備える端末装置とからなるデータ通信システムであって、
前記出力装置の複数の操作キー中の１つの操作キーが操作された際、前記第２の通信機能を利用して入力装置と出力装置と通信が可能かどうかを識別する通信識別手段と、
前記通信識別手段の識別結果に応じて、前記入力装置から送信される所定のデータを入力する第１の入力手段と、
前記第１の入力手段により入力した前記所定のデータを前記出力装置に出力する第１の出力手段と、
前記通信識別手段による識別結果に従い、前記所定のデータを前記出力装置に出力する第２の入出力処理、前記通信網に接続して取得されるネット情報を前記表示装置に表示し、前記出力装置に対して出力する第２の接続出力処理と、前記表示装置に表示されている情報を前記出力装置に対して出力する第２の出力処理のいずれかを選択する選択手段とを備え、
前記選択手段は、前記入力装置が前記出力装置と通信可能な場合は前記第２の入出力処理を選択し、前記入力装置と通信不可能で、かつ前記出力装置と通信可能で前記表示装置に入力情報が表示されていない場合は前記第２の接続出力処理を選択し、前記入力装置と通信不可能で、かつ前記出力装置と通信可能で前記表示装置に入力情報が表示されている場合は前記第２の出力処理を選択することを特徴とするデータ通信システム。
【請求項１５】
前記複数の操作キー中の１つの操作キーは、キー入力を取り消す取消しキーであることを特徴とする請求項１３または１４記載のデータ通信システム。
【請求項１６】
前記キー入力を取り消す取消しキーが操作指示された場合に、前記選択手段により選択されて実行中のいずれかの処理を中止することを特徴とする請求項１１または１２記載のデータ通信システム。
【請求項１７】
前記複数の操作キー中の１つの操作キーは、通話制御を指示するキーが兼ねることを特徴とする請求項１１または１２記載のデータ通信システム。
【請求項１８】
前記出力装置に対する出力設定を行う設定手段を備え、前記第１の出力手段は、前記設定手段により設定される出力設定に従い前記第１の出力処理を行うことを特徴とする請求項１１記載のデータ通信システム。
【請求項１９】
前記出力装置に対する出力設定を行う設定手段を備え、前記第２の出力手段は、前記設定手段により設定される出力設定に従い前記第２の出力処理を行うことを特徴とする請求項１２記載のデータ通信システム。
【請求項２０】
前記複数の操作キー中の１つの操作キーは、前記出力装置を初期化するためのキーが兼ねることを特徴とする請求項１３または１４記載のデータ通信システム。
【請求項２１】
通信機能処理に必要な複数の操作キーを備え、通信網に接続してデータ通信を行うための第１の通信機能と、所定の入力装置と所定の出力装置とデータ通信を行うための第２の通信機能とを備える端末装置におけるデータ通信制御方法であって、
前記複数の操作キー中の１つの操作キーが操作された際、前記第２の通信機能を利用して入力装置と出力装置と通信が可能かどうかを識別する通信識別ステップと、
前記通信識別ステップの識別結果に応じて、前記入力装置から送信される所定のデータを入力する第１の入力ステップと、
前記第１の入力ステップにより入力した前記所定のデータを前記出力装置に出力する第１の出力ステップと、
前記通信識別ステップによる識別結果に従い、前記第１の入力ステップによる第１の入力処理、前記第１の出力ステップによる第１の出力処理、前記通信網に接続してデータ通信を行う第１の接続ステップのいずれかを選択する選択ステップとを備え、
前記選択ステップは、前記入力装置と通信可能な場合は前記第１の入力ステップによる第１の入力処理を選択し、前記出力装置と通信可能な場合は前記第１の出力ステップによる第１の出力処理を選択し、前記入力装置と通信不可能で、かつ前記出力装置と通信不可能な場合、前記第１の接続処理を選択することを特徴とするデータ通信制御方法。
【請求項２２】
表示装置と、通信機能処理に必要な複数の操作キーを備え、通信網に接続してデータ通信を行うための第１の通信機能と、所定の入力装置と所定の出力装置とデータ通信を行うための第２の通信機能とを備える端末装置におけるデータ通信制御方法であって、
前記複数の操作キー中の１つの操作キーが操作された際、前記第２の通信機能を利用して入力装置と出力装置と通信が可能かどうかを識別する通信識別ステップと、
前記入力装置から送信される所定のデータを入力して前記表示装置に表示する第２の入力ステップと、
前記通信網に接続してデータ通信により前記通信網上からネット情報を取得して前記表示装置に表示する第３の入力ステップと、
前記第２の入力ステップにより入力してあるいは第３の入力ステップにより取得して前記表示装置に表示されている前記所定のデータを前記出力装置に出力する第２の出力ステップと、
前記通信識別ステップによる識別結果に従い、前記第２の入力ステップによる第２の入力処理、前記第２の出力ステップによる第２の出力処理、前記通信網に接続してデータ通信によりネット情報を取得する第２の接続処理のいずれかを選択する選択ステップとを備え、
前記選択ステップは、前記入力装置と通信可能な場合は前記第２の入力ステップによる第２の入力処理を選択し、前記出力装置と通信可能な場合は前記第２の出力ステップによる第２の出力処理を選択し、前記入力装置と通信不可能で、かつ前記出力装置と通信不可能な場合、前記第２の接続処理を選択することを特徴とするデータ通信制御方法。
【請求項２３】
通信網に接続してデータ通信を行うための第１の通信機能と、所定の入力装置と複数の操作キーを備える所定の出力装置とデータ通信を行うための第２の通信機能とを備える端末装置におけるデータ通信制御方法であって、
前記出力装置の複数の操作キー中の１つの操作キーが操作された際、前記第２の通信機能を利用して入力装置と出力装置と通信が可能かどうかを識別する通信識別ステップと、
前記通信識別ステップの識別結果に応じて、前記入力装置から送信される所定のデータを入力する第１の入力ステップと、
前記第１の入力ステップにより入力した前記所定のデータを前記出力装置に出力する第１の出力ステップと、
前記通信識別ステップによる識別結果に従い、前記所定のデータを前記出力装置に対して出力する第１の入出力処理、前記通信網に接続して取得されるネット情報を前記出力装置に対して出力する第１の接続出力処理のいずれかを選択する選択ステップとを備え、
前記選択ステップは、前記入力装置が前記出力装置と通信可能な場合は前記第１の入出力処理を選択し、前記入力装置と通信不可能で、かつ前記出力装置と通信可能な場合、前記第１の接続出力処理を選択することを特徴とするデータ通信制御方法。
【請求項２４】
通信網に接続してデータ通信を行うための第１の通信機能と、所定の入力装置と複数の操作キーを備える所定の出力装置とデータ通信を行うための第２の通信機能とを備える端末装置におけるデータ通信制御方法であって、
前記出力装置の複数の操作キー中の１つの操作キーが操作された際、前記第２の通信機能を利用して入力装置と出力装置と通信が可能かどうかを識別する通信識別ステップと、
前記通信識別ステップの識別結果に応じて、前記入力装置から送信される所定のデータを入力する第１の入力ステップと、
前記第１の入力ステップにより入力した前記所定のデータを前記出力装置に出力する第１の出力ステップと、
前記通信識別ステップによる識別結果に従い、前記所定のデータを前記出力装置に出力する第２の入出力処理、前記通信網に接続して取得されるネット情報を前記表示装置に表示し、前記出力装置に対して出力する第２の接続出力処理と、前記表示装置に表示されている情報を前記出力装置に対して出力する第２の出力処理のいずれかを選択する選択ステップとを備え、
前記選択ステップは、前記入力装置が前記出力装置と通信可能な場合は前記第２の入出力処理を選択し、前記入力装置と通信不可能で、かつ前記出力装置と通信可能で前記表示装置に入力情報が表示されていない場合は前記第２の接続出力処理を選択し、前記入力装置と通信不可能で、かつ前記出力装置と通信可能で前記表示装置に入力情報が表示されている場合は第２の出力処理を選択することを特徴とするデータ通信制御方法。
【請求項２５】
請求項２１〜２４のいずれかに記載のデータ通信制御方法を実現するプログラムを記憶したことを特徴とするコンピュータが読み取り可能な記憶媒体。
【請求項２６】
請求項２１〜２４のいずれかに記載のデータ通信制御方法を実現することを特徴とするプログラム。
【請求項２７】
１つのキーの押下に応じて、画像入力装置及び画像出力装置の接続を確認する確認手段と、
前記確認手段により画像入力装置が接続されていることが確認された場合、接続されている画像入力装置から画像データを受信する手段と、
前記確認手段により画像出力装置が接続されていることが確認された場合、接続されている画像出力装置に画像データを送信する手段とを有することを特徴とする端末装置。
【請求項２８】
１つのキーの押下に応じて、画像入力装置及び画像出力装置の接続を確認する確認ステップと、
前記確認ステップにより画像入力装置が接続されていることが確認された場合、接続されている画像入力装置から画像データを受信するステップと、
前記確認ステップにより画像出力装置が接続されていることが確認された場合、接続されている画像出力装置に画像データを送信するステップと、
を有することを特徴とするデータ通信方法。
【請求項２９】
請求項２８に記載のデータ通信方法を実現するプログラムを記憶したことを特徴とするコンピュータが読み取り可能な記憶媒体。
【請求項３０】
請求項２８に記載のデータ通信方法を実現することを特徴とするプログラム。
【発明の詳細な説明】
【０００１】
【発明の属する技術分野】
本発明は、通信網に接続してデータ通信を行うための第１の通信機能と、所定の入力装置と複数の操作キーを備える所定の出力装置とデータ通信を行うための第２の通信機能とを備える端末装置および入力装置，出力装置，端末装置からなるデータ通信システムおよびデータ通信制御方法およびデータ通信方法およびコンピュータが読み取り可能な記憶媒体およびプログラムに関するものである。
【０００２】
【従来の技術】
従来、１つの操作を行うことにより、その時の状態に応じて、異なる目的を達成する手段として、特公平０１−０２５４６９号公報に記載されているようなファクシミリ装置があった。
【０００３】
このファクシミリ装置は、受話器のフックの状態を検出する第１検出手段、原稿の有無を検出する第２検出手段、記録用紙の有無を検出する第３検出手段、送信、受信、複写の各モードの選択が可能な１個の操作ボタンを備え、前記操作ボタンが操作された際、前記第１、第２、第３検出手段の検出出力に応じて、送信、受信、複写の何れかを行うことで、操作ボタンを減少させることができ、操作盤の小型化、更には装置の小型化が可能となるというような効果があった。
【０００４】
また、上記従来例とは分野が異なるが、近年、携帯端末として携帯電話の多機能化が進んでおり、例えば、インターネットサービスプロバイダに接続して、インターネットを利用したＥメールやホームページのブラウジングを行ったり、周辺機器としてオプションのデジタルカメラを装着することにより、被写体を撮影したり、周辺機器としてオプションのプリンタを装着することにより、受信したＥメールの内容、ホームページの内容、撮影画像等を印刷したりすることができる。ここで、各手順は次の通りである。
【０００５】
１．インターネットサービスプロバイダに接続してインターネットを利用する手順例
まず、手順（１）で、携帯電話の操作キー等を適当に操作して、プロバイダの接続番号（電話番号）をロードする。手順（２）で、発呼ボタンを押下し、プロバイダに接続する。手順（３）で、Ｅメールやホームページのブラウジングを行う。
【０００６】
２．デジタルカメラで撮影する手順例
手順（１）で、携帯電話にデジタルカメラを装着する。手順（２）で、携帯電話の操作キー等を適当に操作して、撮影モードに入る。手順（３）で、撮影ボタンを押下し、撮影する。
【０００７】
３．プリンタで印刷する手順例
手順（１）で、携帯電話にプリンタを装着する。手順（２）で、携帯電話の操作キー等を適当に操作して、印刷モードに入る。手順（３）で、印刷ボタンを押下し、印刷する。
【０００８】
【発明が解決しようとする課題】
しかしながら、前述した従来例の後者において、インターネットサービスプロバイダに接続してインターネットを利用する場合、インターネットサービスプロバイダに接続してインターネットを利用する手順（１）、（２）のように、プロバイダの接続番号をロードして、発呼ボタンを押下するという複雑な処理が必要となり、操作性が悪かった。
【０００９】
一方、デジタルカメラで撮影する場合、デジタルカメラで撮影する手順（２）、（３）のように、撮影モードに入って、撮影ボタンを押下するという複雑な処理が必要となり、操作性が悪かった。
【００１０】
さらに、プリンタで印刷する場合、プリンタで印刷する手順（２）、（３）のように、印刷モードに入り、印刷ボタンを押下するという複雑な処理が必要となり、操作性が悪かった。
【００１１】
本発明は、上記の問題点を解決するためになされたもので、本発明の目的は、端末装置あるいは印刷装置の複数の操作キー中の１つの操作キーの操作指示に連動して、現在の入力装置，出力装置の動作状態の識別結果に従い、入力装置と通信可能な場合は第１の入力処理を選択し、出力装置と通信可能な場合は第１の出力処理を選択し、前記入力装置と通信不可能で、かつ前記出力装置と通信不可能な場合、第１の接続処理を選択することにより、複数の操作キー中の１つの操作キーを操作するというきわめて簡単な操作で、入力装置，出力装置を含むシステム全体の状況に応じて最適な操作指示を完了することができ、従来のシステム操作指示に比べて格段に操作性，利便性を向上できるデータ処理操作環境を整備できる端末装置およびデータ通信システムおよびデータ通信制御方法およびデータ通信方法およびコンピュータが読み取り可能な記憶媒体およびプログラムを提供することである。
【００１２】
【課題を解決するための手段】
本発明に係る第１の発明は、通信機能処理に必要な複数の操作キーを備え、通信網に接続してデータ通信を行うための第１の通信機能と、所定の入力装置と所定の出力装置とデータ通信を行うための第２の通信機能とを備える端末装置であって、前記複数の操作キー中の１つの操作キーが操作された際、前記第２の通信機能を利用して入力装置と出力装置と通信が可能かどうかを識別する通信識別手段（図１に示すコントローラ部１ａに相当）と、前記通信識別手段の識別結果に応じて、前記入力装置から送信される所定のデータを入力する第１の入力手段（図１に示すコントローラ部１ａに相当）と、前記第１の入力手段により入力した前記所定のデータを前記出力装置に出力する第１の出力手段（図１に示すコントローラ部１ａに相当）と、前記通信識別手段による識別結果に従い、前記第１の入力手段による第１の入力処理、前記第１の出力手段による第１の出力処理、前記通信網に接続してデータ通信を行う第１の接続処理のいずれかを選択する選択手段（図１に示すコントローラ部１ａに相当）とを備え、前記選択手段は、前記入力装置と通信可能な場合は第１の入力手段による第１の入力処理を選択し、前記出力装置と通信可能な場合は第１の出力手段による第１の出力処理を選択し、前記入力装置と通信不可能で、かつ前記出力装置と通信不可能な場合、前記第１の接続処理を選択することを特徴とする。
【００１３】
本発明に係る第２の発明は、表示装置と、通信機能処理に必要な複数の操作キーを備え、通信網に接続してデータ通信を行うための第１の通信機能と、所定の入力装置と所定の出力装置とデータ通信を行うための第２の通信機能とを備える端末装置であって、前記複数の操作キー中の１つの操作キーが操作された際、前記第２の通信機能を利用して入力装置と出力装置と通信が可能かどうかを識別する通信識別手段（図１に示すコントローラ部１ａに相当）と、前記入力装置から送信される所定のデータを入力して前記表示装置に表示する第２の入力手段（図１に示すコントローラ部１ａに相当）と、前記通信網に接続してデータ通信により前記通信網上からネット情報を取得して前記表示装置に表示する第３の入力手段（図１に示すコントローラ部１ａに相当）と、前記第２の入力手段により入力してあるいは第３の入力手段（図１に示すコントローラ部１ａに相当）により取得して前記表示装置に表示されている前記所定のデータを前記出力装置に出力する第２の出力手段（図１に示すコントローラ部１ａに相当）と、前記通信識別手段による識別結果に従い、前記第２の入力手段による第２の入力処理、前記第２の出力手段による第２の出力処理、前記通信網に接続してデータ通信によりネット情報を取得する第２の接続処理のいずれかを選択する選択手段とを備え、前記選択手段（図１に示すコントローラ部１ａに相当）は、前記入力装置と通信可能な場合は第２の入力処理を選択し、前記出力装置と通信可能な場合は第２の出力処理を選択し、前記入力装置と通信不可能で、かつ前記出力装置と通信不可能な場合、前記第２の接続処理を選択することを特徴とする。
【００１４】
本発明に係る第３の発明は、通信網に接続してデータ通信を行うための第１の通信機能と、所定の入力装置と複数の操作キーを備える所定の出力装置とデータ通信を行うための第２の通信機能とを備える端末装置であって、前記出力装置の複数の操作キー中の１つの操作キーが操作された際、前記第２の通信機能を利用して入力装置と出力装置と通信が可能かどうかを識別する通信識別手段（図１に示すコントローラ部１ａに相当）と、前記通信識別手段の識別結果に応じて、前記入力装置から送信される所定のデータを入力する第１の入力手段（図１に示すコントローラ部１ａに相当）と、前記第１の入力手段により入力した前記所定のデータを前記出力装置に出力する第１の出力手段（図１に示すコントローラ部１ａに相当）と、前記通信識別手段による識別結果に従い、前記所定のデータを前記出力装置に対して出力する第１の入出力処理、前記通信網に接続して取得されるネット情報を前記出力装置に対して出力する第１の接続出力処理のいずれかを選択する選択手段（図１に示すコントローラ部１ａに相当）とを備え、前記選択手段は、前記入力装置が前記出力装置と通信可能な場合は前記第１の入出力処理を選択し、前記入力装置と通信不可能で、かつ前記出力装置と通信可能な場合、前記第１の接続出力処理を選択することを特徴とする。
【００１５】
本発明に係る第４の発明は、通信網に接続してデータ通信を行うための第１の通信機能と、所定の入力装置と複数の操作キーを備える所定の出力装置とデータ通信を行うための第２の通信機能とを備える端末装置であって、前記出力装置の複数の操作キー中の１つの操作キーが操作された際、前記第２の通信機能を利用して入力装置と出力装置と通信が可能かどうかを識別する通信識別手段（図１に示すコントローラ部１ａに相当）と、前記通信識別手段の識別結果に応じて、前記入力装置から送信される所定のデータを入力する第１の入力手段（図１に示すコントローラ部１ａに相当）と、前記第１の入力手段により入力した前記所定のデータを前記出力装置に出力する第１の出力手段（図１に示すコントローラ部１ａに相当）と、前記通信識別手段による識別結果に従い、前記所定のデータを前記出力装置に出力する第２の入出力処理、前記通信網に接続して取得されるネット情報を前記表示装置に表示し、前記出力装置に対して出力する第２の接続出力処理と、前記表示装置に表示されている情報を前記出力装置に対して出力する第２の出力処理のいずれかを選択する選択手段（図１に示すコントローラ部１ａに相当）とを備え、前記選択手段は、前記入力装置が前記出力装置と通信可能な場合は前記第２の入出力処理を選択し、前記入力装置と通信不可能で、かつ前記出力装置と通信可能で前記表示装置に入力情報が表示されていない場合は前記第２の接続出力処理を選択し、前記入力装置と通信不可能で、かつ前記出力装置と通信可能で前記表示装置に入力情報が表示されている場合は第２の出力処理を選択することを特徴とする。
【００１６】
本発明に係る第５の発明は、前記複数の操作キー中の１つの操作キーは、キー入力を取り消す取消しキーであることを特徴とする。
【００１７】
本発明に係る第６の発明は、前記キー入力を取り消す取消しキーが操作指示された場合に、前記選択手段により選択されて実行中のいずれかの処理を中止することを特徴とする。
【００１８】
本発明に係る第７の発明は、前記複数の操作キー中の１つの操作キーは、通話制御を指示するキーが兼ねることを特徴とする。
【００１９】
本発明に係る第８の発明は、前記複数の操作キー中の１つの操作キーは、前記出力装置を初期化するためのキーが兼ねることを特徴とする。
【００２０】
本発明に係る第９の発明は、前記出力装置に対する出力設定を行う設定手段を備え、第１の出力手段は、前記設定手段により設定される出力設定に従い前記第１の出力処理を行うことを特徴とする。
【００２１】
本発明に係る第１０の発明は、前記出力装置に対する出力設定を行う設定手段を備え、第２の出力手段は、前記設定手段により設定される出力設定に従い前記第２の出力処理を行うことを特徴とする。
【００２２】
本発明に係る第１１の発明は、所定の入力装置と、所定の出力装置と、通信機能処理に必要な複数の操作キーを備え、通信網に接続してデータ通信を行うための第１の通信機能と前記所定の入力装置と前記所定の出力装置とデータ通信を行うための第２の通信機能とを備える端末装置とからなるデータ通信システムであって、前記複数の操作キー中の１つの操作キーが操作された際、前記第２の通信機能を利用して入力装置と出力装置と通信が可能かどうかを識別する通信識別手段（図１に示すコントローラ部１ａに相当）と、前記通信識別手段の識別結果に応じて、前記入力装置から送信される所定のデータを入力する第１の入力手段（図１に示すコントローラ部１ａに相当）と、前記第１の入力手段により入力した前記所定のデータを前記出力装置に出力する第１の出力手段（図１に示すコントローラ部１ａに相当）と、前記通信識別手段による識別結果に従い、前記第１の入力手段による第１の入力処理、前記第１の出力手段による第１の出力処理、前記通信網に接続してデータ通信を行う第１の接続処理のいずれかを選択する選択手段（図１に示すコントローラ部１ａに相当）とを備え、前記選択手段は、前記入力装置と通信可能な場合は前記第１の入力手段による第１の入力処理を選択し、前記出力装置と通信可能な場合は前記第１の出力手段による第１の出力処理を選択し、前記入力装置と通信不可能で、かつ前記出力装置と通信不可能な場合、前記第１の接続処理を選択することを特徴とする。
【００２３】
本発明に係る第１２の発明は、所定の入力装置と、所定の出力装置と、通信機能処理に必要な複数の操作キーを備え、通信網に接続してデータ通信を行うための第１の通信機能と前記所定の入力装置と前記所定の出力装置とデータ通信を行うための第２の通信機能とを備える端末装置とからなるデータ通信システムであって、前記複数の操作キー中の１つの操作キーが操作された際、前記第２の通信機能を利用して入力装置と出力装置と通信が可能かどうかを識別する通信識別手段（図１に示すコントローラ部１ａに相当）と、前記入力装置から送信される所定のデータを入力して前記表示装置に表示する第２の入力手段（図１に示すコントローラ部１ａに相当）と、前記通信網に接続してデータ通信により前記通信網上からネット情報を取得して前記表示装置に表示する第３の入力手段（図１に示すコントローラ部１ａに相当）と、前記第２の入力手段により入力してあるいは第３の入力手段により取得して前記表示装置に表示されている前記所定のデータを前記出力装置に出力する第２の出力手段（図１に示すコントローラ部１ａに相当）と、前記通信識別手段による識別結果に従い、前記第２の入力手段による第２の入力処理、前記第２の出力手段による第２の出力処理、前記通信網に接続してデータ通信によりネット情報を取得する第２の接続処理のいずれかを選択する選択手段（図１に示すコントローラ部１ａに相当）とを備え、前記選択手段は、前記入力装置と通信可能な場合は前記第２の入力手段による第２の入力処理を選択し、前記出力装置と通信可能な場合は前記第２の出力手段による第２の出力処理を選択し、前記入力装置と通信不可能で、かつ前記出力装置と通信不可能な場合、前記第２の接続処理を選択することを特徴とする。
【００２４】
本発明に係る第１３の発明は、通信網に接続してデータ通信を行うための第１の通信機能と、所定の入力装置と複数の操作キーを備える所定の出力装置とデータ通信を行うための第２の通信機能とを備える端末装置とからなるデータ通信システムであって、前記出力装置の複数の操作キー中の１つの操作キーが操作された際、前記第２の通信機能を利用して入力装置と出力装置と通信が可能かどうかを識別する通信識別手段（図１に示すコントローラ部１ａに相当）と、前記通信識別手段の識別結果に応じて、前記入力装置から送信される所定のデータを入力する第１の入力手段（図１に示すコントローラ部１ａに相当）と、前記第１の入力手段により入力した前記所定のデータを前記出力装置に出力する第１の出力手段（図１に示すコントローラ部１ａに相当）と、前記通信識別手段による識別結果に従い、前記所定のデータを前記出力装置に対して出力する第１の入出力処理、前記通信網に接続して取得されるネット情報を前記出力装置に対して出力する第１の接続出力処理のいずれかを選択する選択手段（図１に示すコントローラ部１ａに相当）とを備え、前記選択手段は、前記入力装置が前記出力装置と通信可能な場合は前記第１の入出力処理を選択し、前記入力装置と通信不可能で、かつ前記出力装置と通信可能な場合、前記第１の接続出力処理を選択することを特徴とする。
【００２５】
本発明に係る第１４の発明は、通信網に接続してデータ通信を行うための第１の通信機能と、所定の入力装置と複数の操作キーを備える所定の出力装置とデータ通信を行うための第２の通信機能とを備える端末装置とからなるデータ通信システムであって、前記出力装置の複数の操作キー中の１つの操作キーが操作された際、前記第２の通信機能を利用して入力装置と出力装置と通信が可能かどうかを識別する通信識別手段（図１に示すコントローラ部１ａに相当）と、前記通信識別手段の識別結果に応じて、前記入力装置から送信される所定のデータを入力する第１の入力手段（図１に示すコントローラ部１ａに相当）と、前記第１の入力手段により入力した前記所定のデータを前記出力装置に出力する第１の出力手段（図１に示すコントローラ部１ａに相当）と、前記通信識別手段による識別結果に従い、前記所定のデータを前記出力装置に出力する第２の入出力処理、前記通信網に接続して取得されるネット情報を前記表示装置に表示し、前記出力装置に対して出力する第２の接続出力処理と、前記表示装置に表示されている情報を前記出力装置に対して出力する第２の出力処理のいずれかを選択する選択手段（図１に示すコントローラ部１ａに相当）とを備え、前記選択手段は、前記入力装置が前記出力装置と通信可能な場合は前記第２の入出力処理を選択し、前記入力装置と通信不可能で、かつ前記出力装置と通信可能で前記表示装置に入力情報が表示されていない場合は前記第２の接続出力処理を選択し、前記入力装置と通信不可能で、かつ前記出力装置と通信可能で前記表示装置に入力情報が表示されている場合は前記第２の出力処理を選択することを特徴とする。
【００２６】
本発明に係る第１５の発明は、前記複数の操作キー中の１つの操作キーは、キー入力を取り消す取消しキーであることを特徴とする。
【００２７】
本発明に係る第１６の発明は、前記キー入力を取り消す取消しキーが操作指示された場合に、前記選択手段により選択されて実行中のいずれかの処理を中止することを特徴とする。
【００２８】
本発明に係る第１７の発明は、前記複数の操作キー中の１つの操作キーは、通話制御を指示するキーが兼ねることを特徴とする。
【００２９】
本発明に係る第１８の発明は、前記出力装置に対する出力設定を行う設定手段を備え、第１の出力手段は、前記設定手段により設定される出力設定に従い前記第１の出力処理を行うことを特徴とする。
【００３０】
本発明に係る第１９の発明は、前記出力装置に対する出力設定を行う設定手段を備え、第２の出力手段は、前記設定手段により設定される出力設定に従い前記第２の出力処理を行うことを特徴とする。
【００３１】
本発明に係る第２０の発明は、前記複数の操作キー中の１つの操作キーは、前記出力装置を初期化するためのキーが兼ねることを特徴とする。
【００３２】
本発明に係る第２１の発明は、通信機能処理に必要な複数の操作キーを備え、通信網に接続してデータ通信を行うための第１の通信機能と、所定の入力装置と所定の出力装置とデータ通信を行うための第２の通信機能とを備える端末装置におけるデータ通信制御方法であって、前記複数の操作キー中の１つの操作キーが操作された際、前記第２の通信機能を利用して入力装置と出力装置と通信が可能かどうかを識別する通信識別ステップ（図１０に示すステップＳ１００２，Ｓ１００７）と、前記通信識別ステップの識別結果に応じて、前記入力装置から送信される所定のデータを入力する第１の入力ステップ（図１０に示すステップＳ１００５）と、前記第１の入力ステップにより入力した前記所定のデータを前記出力装置に出力する第１の出力ステップ（図１０に示すステップＳ１０１１）と、前記通信識別ステップによる識別結果に従い、前記第１の入力ステップによる第１の入力処理、前記第１の出力ステップによる第１の出力処理、前記通信網に接続してデータ通信を行う第１の接続ステップのいずれかを選択する選択ステップ（図１０に示すステップＳ１００３，Ｓ１００８，Ｓ１０１３）とを備え、前記選択ステップは、前記入力装置と通信可能な場合は前記第１の入力ステップによる第１の入力処理を選択し、前記出力装置と通信可能な場合は前記第１の出力ステップによる第１の出力処理を選択し、前記入力装置と通信不可能で、かつ前記出力装置と通信不可能な場合、前記第１の接続処理を選択することを特徴とする。
【００３３】
本発明に係る第２２の発明は、表示装置と、通信機能処理に必要な複数の操作キーを備え、通信網に接続してデータ通信を行うための第１の通信機能と、所定の入力装置と所定の出力装置とデータ通信を行うための第２の通信機能とを備える端末装置におけるデータ通信制御方法であって、前記複数の操作キー中の１つの操作キーが操作された際、前記第２の通信機能を利用して入力装置と出力装置と通信が可能かどうかを識別する通信識別ステップ（図１０に示すステップＳ１００２，Ｓ１００７）と、前記入力装置から送信される所定のデータを入力して前記表示装置に表示する第２の入力ステップ（図１０に示すステップＳ１００６）と、前記通信網に接続してデータ通信により前記通信網上からネット情報を取得して前記表示装置に表示する第３の入力ステップ（図１０に示すステップＳ１０１５）と、前記第２の入力ステップにより入力してあるいは第３の入力ステップにより取得して前記表示装置に表示されている前記所定のデータを前記出力装置に出力する第２の出力ステップ（図１０に示すステップＳ１０１１）と、前記通信識別ステップによる識別結果に従い、前記第２の入力ステップによる第２の入力処理、前記第２の出力ステップによる第２の出力処理、前記通信網に接続してデータ通信によりネット情報を取得する第２の接続処理のいずれかを選択する選択ステップとを備え、前記選択ステップは、前記入力装置と通信可能な場合は前記第２の入力ステップによる第２の入力処理を選択し、前記出力装置と通信可能な場合は前記第２の出力ステップによる第２の出力処理を選択し、前記入力装置と通信不可能で、かつ前記出力装置と通信不可能な場合、前記第２の接続処理を選択することを特徴とする。
【００３４】
本発明に係る第２３の発明は、通信網に接続してデータ通信を行うための第１の通信機能と、所定の入力装置と複数の操作キーを備える所定の出力装置とデータ通信を行うための第２の通信機能とを備える端末装置におけるデータ通信制御方法であって、前記出力装置の複数の操作キー中の１つの操作キーが操作された際、前記第２の通信機能を利用して入力装置と出力装置と通信が可能かどうかを識別する通信識別ステップ（図１２に示すステップＳ１２０３）と、前記通信識別ステップの識別結果に応じて、前記入力装置から送信される所定のデータを入力する第１の入力ステップ（図１２のステップＳ１２０６）と、前記第１の入力ステップにより入力した前記所定のデータを前記出力装置に出力する第１の出力ステップ（図１２のステップＳ１２０７）と、前記通信識別ステップによる識別結果に従い、前記所定のデータを前記出力装置に対して出力する第１の入出力処理、前記通信網に接続して取得されるネット情報を前記出力装置に対して出力する第１の接続出力処理のいずれかを選択する選択ステップ（図１２のステップＳ１２０４，Ｓ１２０８）とを備え、前記選択ステップは、前記入力装置が前記出力装置と通信可能な場合は前記第１の入出力処理を選択し、前記入力装置と通信不可能で、かつ前記出力装置と通信可能な場合、前記第１の接続出力処理を選択することを特徴とする。
【００３５】
本発明に係る第２４の発明は、通信網に接続してデータ通信を行うための第１の通信機能と、所定の入力装置と複数の操作キーを備える所定の出力装置とデータ通信を行うための第２の通信機能とを備える端末装置におけるデータ通信制御方法であって、前記出力装置の複数の操作キー中の１つの操作キーが操作された際、前記第２の通信機能を利用して入力装置と出力装置と通信が可能かどうかを識別する通信識別ステップ（図１２に示すステップＳ１２０３）と、前記通信識別ステップの識別結果に応じて、前記入力装置から送信される所定のデータを入力する第１の入力ステップ（図１２のステップＳ１２０６）と、前記第１の入力ステップにより入力した前記所定のデータを前記出力装置に出力する第１の出力ステップ（図１２のステップＳ１２０７）と、前記通信識別ステップによる識別結果に従い、前記所定のデータを前記出力装置に出力する第２の入出力処理、前記通信網に接続して取得されるネット情報を前記表示装置に表示し、前記出力装置に対して出力する第２の接続出力処理と、前記表示装置に表示されている情報を前記出力装置に対して出力する第２の出力処理のいずれかを選択する選択ステップ（図１２のステップＳ１２０４，Ｓ１２０８、Ｓ１２１０）とを備え、前記選択ステップは、前記入力装置が前記出力装置と通信可能な場合は前記第２の入出力処理を選択し、前記入力装置と通信不可能で、かつ前記出力装置と通信可能で前記表示装置に入力情報が表示されていない場合は前記第２の接続出力処理を選択し、前記入力装置と通信不可能で、かつ前記出力装置と通信可能で前記表示装置に入力情報が表示されている場合は第２の出力処理を選択することを特徴とする。
【００３６】
本発明に係る第２５の発明は、第２１〜第２４のいずれかに記載の画像処理方法を実現するプログラムを記憶したコンピュータが読み取り可能な記憶媒体であることを特徴とする。
【００３７】
本発明に係る第２６の発明は、第２１〜第２４のいずれかに記載の画像処理方法を実現するプログラムであることを特徴とする。
【００３８】
本発明に係る第２７の発明は、１つのキーの押下に応じて、画像入力装置及び画像出力装置の接続を確認する確認手段（図１に示すコントローラ部１ａに相当）と、前記確認手段により画像入力装置が接続されていることが確認された場合、接続されている画像入力装置から画像データを受信する手段（図１に示すコントローラ部１ａによるデータ通信機能処理に相当）と、前記確認手段により画像出力装置が接続されていることが確認された場合、接続されている画像出力装置に画像データを送信する手段（図１に示すコントローラ部１ａによるデータ通信機能処理に相当）とを有することを特徴とする。
【００３９】
本発明に係る第２８の発明は、１つのキーの押下に応じて、画像入力装置及び画像出力装置の接続を確認する確認ステップ（例えば図１０に示すステップＳ１００３，Ｓ１００８）と、前記確認ステップにより画像入力装置が接続されていることが確認された場合、接続されている画像入力装置から画像データを受信するステップ（図１０に示すステップＳ１００５に伴う図１に示す携帯電話機１側の受信処理）と、前記確認ステップにより画像出力装置が接続されていることが確認された場合、接続されている画像出力装置に画像データを送信するステップ（図１０に示すステップＳ１０１１）とを有することを特徴とする。
【００４０】
本発明に係る第２９の発明は、第２８の発明に記載のデータ通信方法を実現するプログラムを記憶媒体に記憶したことを特徴とする。
【００４１】
本発明に係る第３０の発明は、第２８の発明に記載のデータ通信方法を実現するプログラムであることを特徴とする。
【００４２】
【発明の実施の形態】
以下、本発明の実施形態について詳細に説明する。尚、以下において、ＰＨＳ（Ｐｅｒｓｏｎａｌ　Ｈａｎｄｙｐｈｏｎｅ　Ｓｙｓｔｅｍ）は公知のデジタル方式の簡易電話サービスであるので、その詳細説明は省略する。Ｂｌｕｅｔｏｏｔｈ（登録商標）は、双方向通信が可能な公知の無線インタフェースであるので、その詳細説明は省略する。ＪＰＥＧは公知の画像圧縮フォーマットであるので、その詳細説明は省略する。
【００４３】
〔第１実施形態〕
図１は、本発明の第１実施形態を示す端末装置を適用可能な画像処理システムの一例を示す図であり、例えば単一操作により複数のデバイスを制御するシステム例に対応する。
【００４４】
図において、１は携帯電話で、ＰＨＳを利用した電話機能と、Ｂｌｕｅｔｏｏｔｈ（登録商標）に対応した機器を制御する機能を備えている。携帯電話１はバッテリを内蔵しており、バッテリが充電されていればこのバッテリから供給される電力で駆動できる。１ａはコントローラ部で、通信インタフェースを介するデジタルカメラとプリンタとの通信処理，通信網に対する通信処理，Ｗｅｂサイトへのアクセスおよびブラウジング処理等を総括的に制御する。
【００４５】
２はデジタルカメラで、任意の被写体を撮影することができ、撮影された写真画像をＪＰＥＧ形式の画像ファイルに変換して、内蔵されているフラッシュメモリに記憶するように構成されている。また、デジタルカメラ２で撮影された画像ファイルをＢｌｕｅｔｏｏｔｈ（登録商標）通信を利用して周辺の他の機器に送信したり、他の機器からリモート制御されたりする機能を備えている。２ａはコントローラ部で、通信インタフェースを介して携帯電話１との通信処理および撮像処理，画像処理等を総括的に制御する。
【００４６】
なお、入力装置としてのデジタルカメラ２は、入力された画像を規定の形式のデータに変換する機能を備え、端末装置としての携帯電話１は通信網上の情報を取り込んでこの情報を前記規定の形式のデータに変換する機能を備え、出力装置としてのプリンタ３は前記入力装置または前記端末装置から送られてくる前記規定の形式のデータに基づいて出力するように構成されている。なお、規定の形式により画像の圧縮が可能である。
【００４７】
また、端末装置から通信網に接続して通信網上の情報を取り込んだ後、通信網との接続を切断する機能を備える。
【００４８】
さらに、端末装置、入力装置、出力装置は、それぞれ電話機、カメラ、プリンタで構成される場合を示すが、他のデバイスとしてもよい。
【００４９】
また、端末装置としての携帯電話１で利用する単一の操作ボタンは通話を開始するボタンも兼ねるとともに、取消しボタンは通話を終了するボタンも兼ねるものとする。
【００５０】
３は例えばカラーインクジェット方式のプリンタで、Ｂｌｕｅｔｏｏｔｈ（登録商標）通信を利用して送られてくる印刷データに従って印刷したり、携帯電話１やデジタルカメラ２からＢｌｕｅｔｏｏｔｈ（登録商標）通信を利用して送られてくるＪＰＥＧ形式のファイルを直接印刷する機能を備えている。３ａはコントローラ部で、通信インタフェースを介して携帯電話１との通信処理および印刷処理等を総括的に制御する。
【００５１】
また、プリンタ３はＢｌｕｅｔｏｏｔｈ（登録商標）通信を利用して他の機器を制御する機能も備えている。携帯電話１において、４は実行ボタンであり、この実行ボタン４を単一操作することにより、例えば、オフフックしたり、相手先に発呼したり、様々な処理を実行したりすることができる。
【００５２】
また、この実行ボタン４を単一操作することにより、デジタルカメラ２やプリンタ３を制御することもできる。これらの制御機能に関する詳細は後述する。さらに、プリンタ３における単一の操作ボタンはプリンタ３を初期化するボタンも兼ね、該操作ボタンが操作された際、出力装置を初期化するものとする。
【００５３】
５はディスプレイであり、例えばＴＦＴ液晶で構成される液晶表示装置で構成され、携帯電話で利用する様々な情報やアプリケーションを鮮明に表示することができる。
【００５４】
６はＢｌｕｅｔｏｏｔｈ（登録商標）通信用アンテナである。９はスピーカである。１０はマイクである。１１は終了ボタンであり、例えば、オンフックしたり、様々な実行中の操作を終了したりすることができる。
【００５５】
１２は汎用ボタン部であり、主に０、１、２、３、４、５、６、７、８、９、＊、＃の意味が割り当てられているボタンで構成されている。また、これらのボタンにはアルファベット、ひらがな、カタカナ等の別の意味もパネル表記により割り当てられている。５６は機能ボタンであり、このボタンを操作することにより、多機能スタンバイモード、電話専用スタンバイモード、オプション設定モード、電話帳登録モード等の携帯電話のモードを切り換えることができる。
【００５６】
ここで、多機能スタンバイモードは電話機能と周辺機器制御機能の両機能に対応するモードであり、詳細は後述する。電話専用モードは電話機能だけに対応するモードである。
【００５７】
本実施形態において、オプション設定モードとは、携帯電話１のオプション機能を設定するモードであり、詳細は後述する。
【００５８】
電話帳登録モードとは、相手先の電話番号やＥメールアドレス等の情報を登録するモードである。デジタルカメラ２はＢｌｕｅｔｏｏｔｈ（登録商標）に対応した機器とデータの送受信を行うことができる。
【００５９】
デジタルカメラ２において、１３はシャッタ、７はＢｌｕｅｔｏｏｔｈ（登録商標）通信用アンテナである。プリンタ３はＢｌｕｅｔｏｏｔｈ（登録商標）に対応した機器とデータの送受信を行うことができる。プリンタ３において、１４はリセットボタンであり、プリンタ３をリセット（初期化）することができる。
【００６０】
また、このリセットボタン１４を操作することにより、デジタルカメラ２や携帯電話１を制御してプリンタ３で印刷することもできる。この制御機能に関する詳細は後述する。
【００６１】
５５は設定ボタン部であり、例えば５つのボタンから構成され、左から順にそれぞれ印刷品位、用紙サイズ、印刷モード、用紙の種類、印刷部数を設定する機能（なお、この機能の順位は任意である）が備えられている。これらのボタンを操作することにより、プリンタ３の前記各設定のデフォルト値を設定することができる。４５はディスプレイであり、液晶表示装置で構成され、プリンタ３の設定や状態を表示することができる。８はＢｌｕｅｔｏｏｔｈ（登録商標）通信用アンテナである。
【００６２】
図２は、図１に示した携帯電話１のディスプレイ５に表示される内容を表す図であり、例えば多機能スタンバイモードにおける表示例に対応する。
【００６３】
図２の（ａ）において、１５はＰＨＳ電波強度表示部であり、ＰＨＳの電波の強度が４段階で表示される。１６はバッテリ残量表示部であり、携帯電話１のバッテリに蓄えられている電力の残量が表示される。
【００６４】
１７は日曜時表示部であり、日、曜日、時刻が表示される。１８は状態表示部であり、携帯電話１及びその周辺の機器の通信可能状態が表示される。
【００６５】
図２の（ｂ）に示す、表示例（Ａ）、（Ｂ）、（Ｃ）、（Ｄ）は状態表示部１８に表示される内容（通信可能状態例）を表す。図２の（ｂ）の（Ａ）は携帯電話１とデジタルカメラ２の間、並びに、携帯電話１とプリンタ３の間で、Ｂｌｕｅｔｏｏｔｈ（登録商標）の通信リンクが確立している状態を表す。図２の（ｂ）の（Ｂ）は携帯電話１とデジタルカメラ２の間でＢｌｕｅｔｏｏｔｈ（登録商標）の通信リンクが確立している状態を表す。
【００６６】
図２の（ｂ）の（Ｃ）は携帯電話１とプリンタ３の間でＢｌｕｅｔｏｏｔｈ（登録商標）の通信リンクが確立している状態を表す。図２の（ｂ）の（Ｄ）は携帯電話１と他の機器の間でＢｌｕｅｔｏｏｔｈ（登録商標）の通信リンクが確立していない状態を表す。
【００６７】
図３は、図１に示した携帯電話１のディスプレイ５に表示される内容を表す図であり、例えばオプション設定モードにおける表示例に対応する。
【００６８】
図において、１９はインターネットサービスプロバイダ設定部であり、ダイヤル設定部２０、ユーザ名設定部２１、パスワード設定部２２から構成される。２３はホームページアドレス設定部であり、後述するインターネットブラウザ３３において最初に表示されるホームページのアドレスを設定することができる。
【００６９】
２４は印刷設定部である。印刷設定部２４において、２５は印刷品位選択部であり、印刷品位を標準、高品位、フォトの３つの中から選択できる。同図は標準が選択されている状態である。２６は用紙サイズ選択部であり、用紙サイズをはがき、フォトカード、Ａ５、Ａ４の４つの中から選択できる。同図はＡ４が選択されている状態である。
【００７０】
２７は印刷モード選択部であり、印刷モードをカラー、グレースケール、モノクロの３つの中から選択できる。同図はカラーが選択されている状態である。４６は用紙の種類選択部であり、用紙の種類を普通紙、高品位専用紙、フォトペーパの３つの中から選択できる。同図は普通紙が選択されている状態である。
【００７１】
４７は印刷部数選択部であり、印刷部数を１〜１００枚の範囲で選択できる。同図は１枚が選択されている状態である。汎用ボタン部１２を適当に操作することにより、これらの各設定部または選択部の内容を設定したり、変更したりすることができる。
【００７２】
図４は、図１に示した携帯電話１のディスプレイ５に表示される内容を表す図であり、例えばイメージビューアがディスプレイ５に表示されている状態に対応する。なお、イメージビューアはＪＰＥＧ形式等の画像ファイルを開いて表示することができるアプリケーション（アプリケーションプログラム）である。
【００７３】
図において、２８はイメージビューアのメインウィンドウである。メインウィンドウ２８において、２９はタイトルバーであり、アプリケーション名表示部３０とファイル名表示部３１から構成される。３２はビューアであり、開かれた画像ファイルの画像が表示される。同図では、例えばＰｈｏｔｏ０００８．ｊｐｇというファイル名のＪＰＥＧ形式の画像ファイルが表示されている状態を表している。
【００７４】
図５は、図１に示した携帯電話１のディスプレイ５に表示される内容を表す図であり、例えばインターネットブラウザがディスプレイ５に表示されている状態に対応する。
【００７５】
なお、インターネットブラウザはインターネットにアクセスして様々なホームページにアクセスすることができるアプリケーションである。
【００７６】
図において、３３はインターネットブラウザのメインウィンドウである。メインウィンドウ３３において、５７はタイトルバーであり、アプリケーション名表示部５８から構成される。３４は戻るボタンであり、閲覧しているホームページより一つ前のホームページに戻すことができる。３５は進むボタンであり、閲覧しているホームページより一つ先のホームページに進めることができる。
【００７７】
３６は中止ボタンであり、閲覧しているホームページへのアクセスを中止することができる。３７は更新ボタンであり、閲覧しているホームページの内容を更新することができる。３８はアクセス状態表示部であり、各ホームページへのアクセス中（データ送受信中）は点滅し、アクセスしていない（アクセス完了）時は点灯する。
【００７８】
３９はアドレス指定部であり、アクセスするホームページのアドレスを指定（入力）することができる。４０はビューアであり、アクセスしているホームページの内容が表示される。同図ではｈｔｔｐ：／／ｗｗｗ．ｋｏｉｃｈｉ．ｃｏｍへのアクセスが完了して、このホームページの内容を表示している状態を表している。汎用ボタン部１２を適当に操作することにより、これらの各ボタンを操作したり、指定部に文字列を入力したりすることができる。
【００７９】
図６は、図１に示した携帯電話１のディスプレイ５に表示される内容を表す図であり、例えば画像送信中メッセージを表す例に対応する。
【００８０】
図において、４１は画像送信中メッセージであり、デジタルカメラ２から携帯電話１へ画像データが送信されている間、ディスプレイ５の最前面に表示される。４２はキャンセルボタンであり、終了ボタン１１に対応しており、このボタンを操作することにより、画像データの送信を中止することができる。
【００８１】
図７は、図１に示した携帯電話１のディスプレイ５に表示される内容を表す図であり、例えば印刷中メッセージを表す例に対応する。
【００８２】
図において、４３は印刷中メッセージであり、携帯電話１からプリンタ３へ印刷データが送信されている間、ディスプレイ５の最前面に表示される。４４はキャンセルボタンであり、終了ボタン１１に対応しており、このボタンを操作することにより、印刷データの送信を中止してプリンタ３における印刷を中止することができる。
【００８３】
図８は、本発明に係る移動体通信機器における第１のデータ処理手順の一例を示すフローチャートであり、図１に示した形態電話１における多機能スタンバイモードの処理手順に対応する。なお、Ｓ８０１〜Ｓ８０８は各ステップを示す。また、各ステップは、携帯電話１に内蔵されるコントローラ部１ａ（ＣＰＵ，ＲＡＭ，ＲＯＭ）のＣＰＵがＲＯＭからプログラムをＲＡＭにロードして実行することにより達成されるものとする。
【００８４】
まず、多機能スタンバイモードが開始されると（Ｓ８０１）、ＰＨＳの制御を行うとともに（Ｓ８０２）、Ｂｌｕｅｔｏｏｔｈ（登録商標）の制御を行い（Ｓ８０３）、ボタンの制御を行う（Ｓ８０４）。
【００８５】
特に、ステップＳ８０２では主にＰＨＳの呼出待機や通信の制御が行われる。ステップＳ８０３では主にＢｌｕｅｔｏｏｔｈ（登録商標）の接続要求の待機や通信の制御が行われる。ステップＳ８０４では主にボタン操作の待機やボタン操作に伴う各処理の一部が行われる。
【００８６】
そして、ボタン操作があったかどうかを判断して場合（Ｓ８０５）、ボタン操作があったと判断した場合には、そのボタン操作に応じた処理を行い（Ｓ８０６）、この処理が実行中の場合は（Ｓ８０７）、ステップＳ８０２に戻る。
【００８７】
一方、ステップＳ８０７において、処理が実行中でないと判断した場合、図９で後述する周辺機器の接続確認処理を行い（Ｓ８０８）、ステップＳ８０２に戻る。このように、多機能スタンバイモードではループしながら各処理を繰り返す。
【００８８】
図９は、本発明に係る移動体通信機器における第２のデータ処理手順の一例を示すフローチャートであり、図１に示した携帯電話１における周辺機器の接続確認の処理手順に対応する。なお、Ｓ９０１〜Ｓ９１４は各ステップを示す。また、各ステップは、携帯電話１に内蔵されるコントローラ部１ａ（ＣＰＵ，ＲＡＭ，ＲＯＭ）のＣＰＵがＲＯＭからプログラムをＲＡＭにロードして実行することにより達成されるものとする。
【００８９】
周辺機器のまず、接続確認が開始されると（Ｓ９０１）、携帯電話１がＢｌｕｅｔｏｏｔｈ（登録商標）通信を介して周辺のデバイスを検索し（Ｓ９０２）、デバイスが見つかったかどうかを判断して、見つかったと判断した場合（Ｓ９０３）、携帯電話１で使用可能なデジタルカメラであるかどうかを確認する（Ｓ９０４）。
【００９０】
そして、使用可能なデジタルカメラであるかどうかを判断して（Ｓ９０５）、使用可能なデジタルカメラであると判断した場合は、携帯電話１とこのデジタルカメラとの間で通信リンクが確立されているかどうかを確認し（Ｓ９１１）、通信リンクが確立されていないと判断した場合、通信リンクを確立し（Ｓ９１２）、接続状態を状態表示部１８に表示し（Ｓ９１３）、ステップＳ９０２に戻る。
【００９１】
一方、ステップＳ９１１において、通信リンクが確立されていると判断した場合、ステップＳ９１３に進む。
【００９２】
また、ステップＳ９０５において、使用可能なデジタルカメラでないと判断した場合、使用可能なプリンタであるかどうかを確認する（Ｓ９０６）。そして、使用可能なプリンタであるかどうかを判断して（Ｓ９０７）、使用可能なプリンタであると判断した場合は、携帯電話１とこのプリンタとの間で通信リンクが確立されているかどうかを確認し（Ｓ９０８）、通信リンクが確立されていない場合、通信リンクを確立し（Ｓ９０９）、接続状態を状態表示部１８に表示し（Ｓ９１０）、ステップＳ９０２に戻る。
【００９３】
一方、ステップＳ９０８において、通信リンクが確立されている場合、ステップＳ９１０に進む。
【００９４】
また、ステップＳ９０７において、使用可能なプリンタでない場合、ステップＳ９０２に戻る。
【００９５】
さらに、ステップＳ９０３において、デバイスが見つからなかった場合またはそれ以上デバイスが見つからなくなった場合、周辺機器の接続確認を終了して（Ｓ９１４）、リターンする。
【００９６】
このように、携帯電話１はホスト端末装置としての役割を担っているので、その周辺に使用可能な機器が存在する場合は、常にそれらの機器と通信リンクを確立しておくことで、様々なアクションに対して、迅速かつ的確に対応できる。
【００９７】
図１０は、本発明に係る移動体通信機器における第３のデータ処理手順の一例を示すフローチャートであり、図１に示した携帯電話１における実行ボタン４が押下された後の処理手順に対応する。なお、Ｓ１００１〜Ｓ１０１６は各ステップを示す。また、各ステップは、携帯電話１に内蔵されるコントローラ部１ａ（ＣＰＵ，ＲＡＭ，ＲＯＭ）のＣＰＵがＲＯＭからプログラムをＲＡＭにロードして実行することにより達成されるものとする。以下、処理をいくつかのケースに分けて説明する。
【００９８】
〔ケース１〕
今、携帯電話１は多機能スタンバイモードであり、ディスプレイ５に表示されている画像がなく、デジタルカメラ２がＢｌｕｅｔｏｏｔｈ（登録商標）の無線通信が可能な範囲でスタンバイ状態であり、プリンタ３が電源オフでオフライン状態である（または、プリンタ３が付近にない）とする。また、図３に示すオプション設定がなされているものとする。
【００９９】
図８、図９に示したフローチャートの手順により、この状態では周辺機器の接続確認が行われるので、携帯電話１のディスプレイ５、状態表示部１８には図２の（ｂ）の（Ｂ）に示すような表示がなされている。
【０１００】
この時、携帯電話１の実行ボタン４が押下されると（Ｓ１００１）、デジタルカメラ２の接続を確認し（Ｓ１００２）、通信リンクが確立しているので（Ｓ１００３）、デジタルカメラ２で撮影し（Ｓ１００４）、撮影された写真画像の画像データが携帯電話１へ送信され（Ｓ１００５）、携帯電話１のイメージビューアが起動して、例えば図４に示すように撮影された写真画像をディスプレイ５に表示する（Ｓ１００６）。
【０１０１】
その後、プリンタ３の接続を確認し（Ｓ１００７）、通信リンクが確立していなく（Ｓ１００８）、ディスプレイ５に表示されている写真画像があるので（Ｓ１０１３）、実行ボタン押下の処理を終了してリターンする（Ｓ１０１６）。
【０１０２】
一方、ステップＳ１００５において、画像データを送信している間は、画像送信中メッセージ４１が表示され、この間、終了ボタン１１を押下することにより、画像データの送信を中止することができる。
【０１０３】
このように、携帯電話１の実行ボタン４を押下するだけで、リモートでデジタルカメラ２で撮影を行い、その写真画像を携帯電話１内に取り込み、ディスプレイ５上のイメージビューアによりビジュアル的に確認することができる。
【０１０４】
〔ケース２〕
今、携帯電話１は多機能スタンバイモードであり、ディスプレイ５に表示されている画像がなく、デジタルカメラ２がＢｌｕｅｔｏｏｔｈ（登録商標）の無線通信が可能な範囲でスタンバイ状態であり、プリンタ３がＢｌｕｅｔｏｏｔｈ（登録商標）の無線通信が可能な範囲でスタンバイ状態であるとする。
【０１０５】
また、図３に示すオプション設定がなされているものとする。
【０１０６】
図８、図９より、この状態では周辺機器の接続確認が行われるので、携帯電話１のディスプレイ５、状態表示部１８には図２の（Ａ）に示すような表示がなされている。この時、実行ボタン４が押下されると（Ｓ１００１）、ケース１と同様なフローをたどりステップＳ１００６まで進む。その後、プリンタ３の接続を確認し（Ｓ１００７）、通信リンクが確立していて（Ｓ１００８）、ディスプレイ５に表示されている写真画像があるので（Ｓ１００９）、携帯電話１からプリンタ３に印刷開始コマンドを送り印刷を開始し（Ｓ１０１０）、図３の印刷設定部２４で示す印刷設定に従って携帯電話１からプリンタ３に印刷データを送信して（Ｓ１０１１）、プリンタ３がこの印刷データに従って印刷を行う（Ｓ１０１２）。印刷が終了すると（実際には印刷データの送信が終了すると）実行ボタン押下の処理を終了してリターンする（Ｓ１０１６）。
【０１０７】
なお、ステップＳ１０１１において印刷データを送信している間は印刷中メッセージ４３が表示され、この間、終了ボタン１１を押下することにより、印刷データの送信を中止してプリンタ３における印刷を中止することができる。
【０１０８】
このように、携帯電話１の実行ボタン４を押下するだけで、リモートでデジタルカメラ２で撮影を行い、その写真画像を携帯電話１内に取り込み、ディスプレイ５上のイメージビューアによりビジュアル的に確認することができ、しかも、その写真画像をプリンタ３で印刷することができる。
【０１０９】
〔ケース３〕
今、携帯電話１は多機能スタンバイモードであり、ディスプレイ５に表示されている画像がなく、デジタルカメラ２の電源がオフであり（または、デジタルカメラ２が付近になく）、プリンタ３がＢｌｕｅｔｏｏｔｈ（登録商標）の無線通信が可能な範囲でスタンバイ状態であるとする。また、図３に示すオプション設定がなされているものとする。
【０１１０】
図８、図９より、この状態では周辺機器の接続確認が行われるので、携帯電話１のディスプレイ５、状態表示部１８には図２の（ｂ）の（Ｃ）に示すような表示がなされている。この時、実行ボタン４が押下されると（Ｓ１００１）、デジタルカメラ２の接続を確認し（Ｓ１００２）、通信リンクが確立していないので（Ｓ１００３）、プリンタ３の接続を確認し（Ｓ１００７）、通信リンクが確立しているので（Ｓ１００８）、ディスプレイ５に表示されている画像があるかを確認して表示されている画像がないので（Ｓ１００９）、図３のインターネットサービスプロバイダ設定部１９のダイヤル設定部２０で指定されている電話番号に発呼し、ユーザ名設定部２１で指定されているユーザＩＤ、パスワード設定部２２で指定されているパスワードを元に、インターネットサービスプロバイダに接続する（Ｓ１０１４）。
【０１１１】
その後、図５で示すインターネットブラウザを起動して、ホームページアドレス設定部２３で指定されているアドレスにアクセスし、そのページをメインウィンドウ３３に表示する（Ｓ１０１５）。そして、実行ボタン押下の処理を終了してリターンする（Ｓ１０１６）。
【０１１２】
一方、ステップＳ１０１４において、インターネットサービスプロバイダに接続している間、終了ボタン１１を押下することにより、インターネットサービスプロバイダへの接続を中止することができる。このように、携帯電話１の実行ボタン４を押下するだけで、容易にインターネットへアクセスして、目的のホームページをディスプレイ５上のインターネットブラウザにより閲覧することができる。
【０１１３】
〔ケース４〕
今、ケース３において、実行ボタン押下の処理を終了してリターンされた（Ｓ１０１６）状態であるとする。すなわち、携帯電話１は多機能スタンバイモードであり、ディスプレイ５に、図５に示すようなインターネットブラウザで表示されている画像があり、デジタルカメラ２の電源がオフであり（または、デジタルカメラ２が付近になく）、プリンタ３がＢｌｕｅｔｏｏｔｈ（登録商標）の無線通信が可能な範囲でスタンバイ状態であるとする。また、図３に示すオプション設定がなされているものとする。
【０１１４】
図８、図９より、この状態では周辺機器の接続確認が行われている。この時、実行ボタン４が押下されると（Ｓ１００１）、ケース３と同様なフローをたどりステップＳ１００８まで進む。その後、ディスプレイ５に表示されている画像があるかを確認して図５に示すようなインターネットブラウザで表示されている画像があるので（Ｓ１００９）、携帯電話１からプリンタ３に印刷開始コマンドを送り印刷を開始し（Ｓ１０１０）、図３の印刷設定部２４で示す印刷設定に従って携帯電話１からプリンタ３に印刷データを送信して（Ｓ１０１１）、プリンタ３がこの印刷データに従って印刷を行う（Ｓ１０１２）。印刷が終了すると（実際には印刷データの送信が終了すると）実行ボタン押下の処理を終了してリターンする（Ｓ１０１６）。
【０１１５】
ステップＳ１０１１において印刷データを送信している間は印刷中メッセージ４３が表示され、この間、終了ボタン１１を押下することにより、印刷データの送信を中止してプリンタ３における印刷を中止することができる。このように、携帯電話１の実行ボタン４を押下するだけで、ディスプレイ５上のインターネットブラウザの表示をプリンタ３で印刷することができる。
【０１１６】
〔ケース５〕
今、携帯電話１は多機能スタンバイモードであり、ディスプレイ５に表示されている画像がなく、デジタルカメラ２の電源がオフであり（または、デジタルカメラ２が付近になく）、プリンタ３が電源オフでオフライン状態である（または、プリンタ３が付近にない）とする。また、図３に示すオプション設定がなされているものとする。
【０１１７】
図８、図９より、この状態では周辺機器の接続確認が行われるので、携帯電話１のディスプレイ５、状態表示部１８には図２の（ｂ）の（Ｄ）に示すような表示がなされている。
【０１１８】
この時、実行ボタン４が押下されると（Ｓ１００１）、デジタルカメラ２の接続を確認し（Ｓ１００２）、通信リンクが確立していないので（Ｓ１００３）、プリンタ３の接続を確認し（Ｓ１００７）、通信リンクが確立していないので（Ｓ１００８）、ディスプレイ５に表示されている画像があるかを確認して表示されている画像がないので（Ｓ１０１３）、図３のインターネットサービスプロバイダ設定部１９のダイヤル設定部２０で指定されている電話番号に発呼し、ユーザ名設定部２１で指定されているユーザＩＤ、パスワード設定部２２で指定されているパスワードを元に、インターネットサービスプロバイダに接続する（Ｓ１０１４）。
【０１１９】
その後、図５で示すインターネットブラウザを起動して、ホームページアドレス設定部２３で指定されているアドレスにアクセスし、そのページをメインウィンドウ３３に表示する（Ｓ１０１５）。そして、実行ボタン押下の処理を終了してリターンする（Ｓ１０１６）。
【０１２０】
一方、ステップＳ１０１４においてインターネットサービスプロバイダに接続している間、終了ボタン１１を押下することにより、インターネットサービスプロバイダへの接続を中止することができる。このように、携帯電話１の実行ボタン４を押下するだけで、容易にインターネットへアクセスして、目的のホームページをディスプレイ５上のインターネットブラウザにより閲覧することができる。
【０１２１】
以上、本発明に係る移動体通信機器における処理をいくつかのケースに分けて説明したが、このように本発明では、実行ボタン４の押下という単一操作により、その状況に応じて期待される最適な各処理が行え、優れた操作性が得られる。
【０１２２】
また、本発明の新機能を実施するにあたって、従来の電話機に備えられている通話開始ボタンを実行ボタン４として、通話終了ボタンを終了ボタン１１として割り当てることで、新たに特別なボタン等を装備する必要が全くなく、操作ボタンの総数を減らすことができ、大幅なコストダウンも図れる。
【０１２３】
また、終了ボタン１１を押下することにより、デジタルカメラ２から携帯電話１への画像データの送信を中止したり、携帯電話１からプリンタ３への印刷データの送信を中止してプリンタ３における印刷を中止したり、携帯電話１におけるインターネットサービスプロバイダへの接続を中止したりすることができ、緊急時の優れた操作性が得られる。印刷設定部２４で示す印刷設定に従って携帯電話１からプリンタ３に印刷データを送信してプリンタ３がこの印刷データに従って印刷を行うので、ユーザが求めている最適な印刷結果が得られる。
【０１２４】
〔第２実施形態〕
上記実施形態では、携帯電話１のキーを単一操作することにより、複合システムで多機能な操作指示を容易に行う場合について説明したが、プリンタ等の印刷装置の操作部の１つのキーを操作することにより、同様の処理を行えるように構成してもよい。以下、その実施形態について説明する。
【０１２５】
図１１は、本発明の第２実施形態を示す印刷装置におけるシステム状態表示例を示す図であり、プリンタ３のスタンバイ状態におけるディスプレイ４５上の表示内容の表示例に対応する。
【０１２６】
図１１の（ａ）において、４８は印刷設定部であり、この印刷設定部において、４９は印刷品位選択部であり、印刷品位を標準、高品位、フォトの３つの中から選択できる。同図はフォトが選択されている状態である。５０は用紙サイズ選択部であり、用紙サイズをはがき、フォトカード、Ａ５、Ａ４の４つの中から選択できる。同図はフォトカードが選択されている状態である。５１は印刷モード選択部であり、印刷モードをカラー、グレースケール、モノクロの３つの中から選択できる。同図はカラーが選択されている状態である。５２は用紙の種類選択部であり、用紙の種類を普通紙、高品位専用紙、フォトペーパの３つの中から選択できる。同図はフォトペーパが選択されている状態である。５３は印刷部数選択部であり、印刷部数を１〜１００枚の範囲で選択できる。同図では１枚が選択されている状態である。設定ボタン部５５を操作することにより、これらの選択部の内容を設定したり、変更したりすることができる。５４は状態表示部であり、プリンタ３及びその周辺の機器の状態が表示される。
【０１２７】
図１１の（ｂ）の（Ａ）、（Ｂ）、（Ｃ）、（Ｄ）は、状態表示部５４に表示される内容を表す。
【０１２８】
図１１の（ｂ）の（Ａ）はプリンタ３とデジタルカメラ２の間、並びにプリンタ３と携帯電話１の間で、Ｂｌｕｅｔｏｏｔｈ（登録商標）の通信リンクが確立している状態を表す。図１１の（ｂ）の（Ｂ）はプリンタ３とデジタルカメラ２の間でＢｌｕｅｔｏｏｔｈ（登録商標）の通信リンクが確立している状態を表す。
【０１２９】
図１１の（ｂ）の（Ｃ）はプリンタ３と携帯電話１の間でＢｌｕｅｔｏｏｔｈ（登録商標）の通信リンクが確立している状態を表す。図１１の（ｂ）の（Ｄ）はプリンタ３と他の機器の間でＢｌｕｅｔｏｏｔｈ（登録商標）の通信リンクが確立していない状態を表す。以下、本実施形態について図１２、図１３に示すフローチャートに従って動作の説明をする。
【０１３０】
図１２は、本発明に係る印刷装置における第１のシステム操作処理手順の一例を示すフローチャートであり、図１に示した印刷装置におけるリセットボタン１４が押下された後の処理手順に対応する、なお、Ｓ１２０１〜Ｓ１２１４は各ステップを示し、各手順はプリンタ３のコントローラ部３ａ（ＣＰＵ，ＲＡＭ，ＲＯＭ）のＲＯＭに記憶される制御プログラムをＲＡＭにロードしてＣＰＵが実行するものとする。また、本実施形態におけるシステム操作処理例をいくつかのケースに分けて説明する。
【０１３１】
〔ケース１〕
今、プリンタ３はスタンバイ状態であり、デジタルカメラ２がＢｌｕｅｔｏｏｔｈ（登録商標）の無線通信が可能な範囲でスタンバイ状態であり、携帯電話１が電源オフである（または、携帯電話１が付近にない）とする。
【０１３２】
また、図１１に示した印刷設定部４８で示す印刷設定がなされているものとする。この時点ではプリンタ３とデジタルカメラ２の間でＢｌｕｅｔｏｏｔｈ（登録商標）の通信リンクが確立していないので、状態表示部５４には図１１の（ｂ）の（Ｄ）に示すような表示がなされている。
【０１３３】
この時、リセットボタン１４が押下されると（Ｓ１２０１）、プリンタ３のリセット（初期化）が行われ（Ｓ１２０２）、図１３で後述する接続を確認してリンクを確立する処理が行われる（Ｓ１２０３）。この処理により、プリンタ３とデジタルカメラ２の間でＢｌｕｅｔｏｏｔｈ（登録商標）の通信リンクが確立するので、状態表示部５４は図１１の（ｂ）の（Ｂ）に示すような表示となる。
【０１３４】
デジタルカメラ２と通信リンクが確立しているので（Ｓ１２０４）、プリンタ３からデジタルカメラ２に対して撮影コマンドを送り、デジタルカメラ２がこのコマンドを受けて撮影を行う（Ｓ１２０５）。
【０１３５】
その後、撮影されたＪＰＥＧ形式の画像ファイルをプリンタ３へ送信し（Ｓ１２０６）、プリンタ３はこのＪＰＥＧ形式の画像ファイルを印刷設定部４８で示す印刷設定に従って印刷する（Ｓ１２０７）。印刷が終了するとリセットボタン押下の処理を終了してリターンする（Ｓ１２１５）。このように、プリンタ３のリセットボタン１４を押下するだけで、リモートでデジタルカメラ２を制御して撮影を行い、その撮影されたＪＰＥＧ形式の画像ファイルをプリンタ３に送信し、プリンタ３で印刷することができる。
【０１３６】
〔ケース２〕
今、プリンタ３はスタンバイ状態であり、携帯電話１がＢｌｕｅｔｏｏｔｈ（登録商標）の無線通信が可能な範囲でディスプレイ５に表示されている画像がない状態で多機能スタンバイモードであり、デジタルカメラ２が電源オフである（または、デジタルカメラ２が付近にない）とする。
【０１３７】
また、図１１の印刷設定部４８で示す印刷設定がなされているものとする。携帯電話１において図３に示すオプション設定がなされているものとする。携帯電話１は多機能スタンバイモードであるので、図８、図９より、周辺機器の接続確認が行われ、プリンタ３と携帯電話１の間でＢｌｕｅｔｏｏｔｈ（登録商標）の通信リンクが確立しており、状態表示部５４には図１１の（ｂ）の（Ｃ）に示すような表示がなされている。
【０１３８】
この時、リセットボタン１４が押下されると（Ｓ１２０１）、プリンタ３のリセット（初期化）が行われ（Ｓ１２０２）、図１３で後述する接続を確認してリンクを確立する処理が行われる（Ｓ１２０３）。デジタルカメラ２と通信リンクが確立しておらず（Ｓ１２０４）、携帯電話１と通信リンクが確立しているので（Ｓ１２０８）、プリンタ３から携帯電話１に対してディスプレイ５に表示されている画像があるかどうかを確認する制御コマンドを送り、携帯電話１がこのコマンドを受けて表示されている画像がないという応答コマンドをプリンタ３に返す（Ｓ１２０９）。
【０１３９】
そして、ディスプレイ５に表示されている画像があるかどうかを判断して（Ｓ１２１０）、画像がないと判断された場合、プリンタ３から携帯電話１に対してインターネットへの接続を要求する制御コマンドを送り、携帯電話１がこのコマンドを受けて図３のインターネットサービスプロバイダ設定部１９のダイヤル設定部２０で指定されている電話番号に発呼し、ユーザ名設定部２１で指定されているユーザＩＤ、パスワード設定部２２で指定されているパスワードを元に、インターネットサービスプロバイダに接続する（Ｓ１２１１）。
【０１４０】
その後、図５で示すインターネットブラウザを起動して、ホームページアドレス設定部２３で指定されているアドレスにアクセスし、そのページをメインウィンドウ３３に表示した後（Ｓ１２１２）、プロバイダとの通信を切断してプリンタ３へ処理が完了した旨を表す返信コマンドを返す（Ｓ１２１３）。
【０１４１】
そして、プリンタ３はこの返信コマンドを受けた後、そのページの画像をＪＰＥＧ形式の画像に変換するように携帯電話１に対して制御コマンドを送り、携帯電話１はこのコマンドを受けてそのページの画像をＪＰＥＧ形式の画像に変換して処理が完了した旨を表す返信コマンドを返す（Ｓ１２１４）。
【０１４２】
そして、プリンタ３はこの返信コマンドを受けた後、そのＪＰＥＧ形式の画像ファイルを送信するように携帯電話１に対して制御コマンドを送り、携帯電話１はこのコマンドを受けてそのＪＰＥＧ形式の画像ファイルをプリンタ３へ送信し（Ｓ１２０６）、プリンタ３はこのＪＰＥＧ形式の画像ファイルを印刷設定部４８で示す印刷設定に従って印刷する（Ｓ１２０７）。印刷が終了するとリセットボタン押下の処理を終了してリターンする（Ｓ１２１５）。
【０１４３】
このように、プリンタ３のリセットボタン１４を押下するだけで、リモートで携帯電話１を制御して、容易にインターネットにアクセスして目的のホームページを開き、そのページの画像をＪＰＥＧ形式の画像ファイルに変換してプリンタ３に送信し、プリンタ３で印刷することができる。
【０１４４】
また、目的のホームページを開いた後、プロバイダとの通信を切断してインターネットへの接続をオフラインにするので、余計な通信費の発生を防ぐことができる。
【０１４５】
〔ケース３〕
今、ステップＳ１２１５において、すなわちケース２において、リセットボタン１４押下の処理を終了してリターンされた状態であるとする。つまり、プリンタ３はスタンバイ状態であり、携帯電話１がＢｌｕｅｔｏｏｔｈ（登録商標）の無線通信が可能な範囲で多機能スタンバイモードであり、ディスプレイ５に、図５に示すようなインターネットブラウザで表示されている画像があり、デジタルカメラ２が電源オフである（または、デジタルカメラ２が付近にない）とする。
【０１４６】
また、図１１の印刷設定部４８で示す印刷設定がなされているものとする。携帯電話１において図３に示すオプション設定がなされているものとする。携帯電話１は多機能スタンバイモードであるので、図８、図９より、周辺機器の接続確認が行われ、プリンタ３と携帯電話１の間でＢｌｕｅｔｏｏｔｈ（登録商標）の通信リンクが確立しており、状態表示部５４には図１１の（ｂ）の（Ｃ）に示すような表示がなされている。
【０１４７】
この時、リセットボタン１４が押下されると（Ｓ１２０１）、ケース２と同様なフローをたどりステップＳ１２０８まで進む。その後、プリンタ３から携帯電話１に対してディスプレイ５に表示されている画像があるかどうかを確認する制御コマンドを送り、携帯電話１がこのコマンドを受けて図５に示すようなインターネットブラウザで表示されている画像があるという応答コマンドをプリンタ３に返す（Ｓ１２０９）。
【０１４８】
そして、ディスプレイ５に表示されている画像があると判断されるので（Ｓ１２１０）、ステップＳ１２１４に進み、ステップＳ１２１４以降はケース２と同様なフローをたどり、プリンタ３での印刷が終了するとリセットボタン押下の処理を終了してリターンする（Ｓ１２１５）。
【０１４９】
このように、プリンタ３のリセットボタン１４を押下するだけで、リモートで携帯電話１を制御して、ディスプレイ５にインターネットブラウザで表示されている画像をＪＰＥＧ形式の画像ファイルに変換してプリンタ３に送信し、プリンタ３で印刷することができる。
【０１５０】
以上、同図における処理をいくつかのケースに分けて説明したが、このように本発明では、リセットボタン１４の押下という単一操作により、その状況に応じて期待される最適な各処理が行え、優れた操作性が得られる。
【０１５１】
また、本発明の新機能を実施するにあたって、従来のプリンタに備えられているリセットボタンを応用することで、新たに特別なボタン等を装備する必要が全くなく、操作ボタンの総数を減らすことができ、大幅なコストダウンも図れる。リセットボタン１４を押下した時にプリンタ３のリセット（初期化）を行うので、それ以前のプリンタ３の状態がいかなる状態であっても、プリンタ３が正常に動作し、誤動作を未然に防ぐことができる。取り扱う画像データの形式をＪＰＥＧ形式に統一することで、プリンタ３及びシステム全体の構成を簡単なものにでき、大幅なコストダウンを図れる。
【０１５２】
また、例えばＪＰＥＧ形式のような圧縮形式の画像ファイルを取り扱うようにすることで、デジタルカメラ２や携帯電話１からプリンタ３へ送信する画像データのデータ量が少なくなり、データ送信時間を大幅に短縮できる。
【０１５３】
プリンタ３はホストに対する周辺機器なので、通常のスタンバイ時はその周辺に存在するホスト端末装置からの要求を待ち、リセットボタン１４の押下というような操作があった時に、その周辺に存在する使用可能な機器と通信リンクを確立することで、他のホスト端末装置からの要求も含めた様々なアクションに対して、迅速かつ的確に対応できる。プリンタ３はデジタルカメラ２や携帯電話１から送られてくる画像ファイルを印刷設定部４８で示す印刷設定に従って印刷するので、ユーザが求めている最適な印刷結果が得られる。
【０１５４】
図１３は、本発明に係る印刷装置における第２のシステム操作処理手順の一例を示すフローチャートであり、図１２に示したステップＳ１２０３における接続を確認してリンクを確立する処理の詳細手順に対応する。なお、Ｓ１３０１〜Ｓ１３１４は各ステップを示す。
【０１５５】
まず、接続を確認してリンクの確立が開始されると（Ｓ１３０１）、プリンタ３がＢｌｕｅｔｏｏｔｈ（登録商標）通信を介して周辺のデバイスを検索し（Ｓ１３０２）、デバイスが見つかったかどうかを判断して（Ｓ１３０３）、見つかったかと判断した場合、プリンタ３で使用可能なデジタルカメラであるかどうかを確認する（Ｓ１３０４）。使用可能なデジタルカメラであるかどうかを判断して（Ｓ１３０５）、使用可能なデジタルカメラであると判断した場合、プリンタ３とこのデジタルカメラとの間で通信リンクが確立されているかどうかを確認し（Ｓ１３１１）、通信リンクが確立されていない場合、通信リンクを確立し（Ｓ１３１２）、接続状態を状態表示部５４に表示し（Ｓ１３１３）、ステップＳ１３０２に戻る。
【０１５６】
一方、ステップＳ１３１１において、通信リンクが確立されている場合、ステップＳ１３１３に進む。
【０１５７】
また、ステップＳ１３０５において、使用可能なデジタルカメラでないと判断された場合、使用可能な携帯電話であるかどうかを確認する（Ｓ１３０６）。そして、使用可能な携帯電話であるかどうかを判断して（Ｓ１３０７）、使用可能な携帯電話であると判断した場合、プリンタ３とこの携帯電話との間で通信リンクが確立されているかどうかを確認し（Ｓ１３０８）、通信リンクが確立されていないと判断した場合、通信リンクを確立し（Ｓ１３０９）、接続状態を状態表示部５４に表示し（Ｓ１３１０）、ステップＳ１３０２に戻る。
【０１５８】
一方、ステップＳ１３０８において、通信リンクが確立されている場合、ステップＳ１３１０に進む。
【０１５９】
また、ステップＳ１３０７において、使用可能な携帯電話でない場合、ステップＳ１３０２に戻る。ステップＳ１３０３において、デバイスが見つからなかった場合またはそれ以上デバイスが見つからなくなった場合、周辺機器の接続確認を終了してリターンする（Ｓ１３１４）。
【０１６０】
〔他の実施形態〕
以上、本実施形態をシステムの状態を詳細に分けて各状態における動作について説明したが、ここで本実施形態においては、携帯電話１のような通信機能を備える端末装置、デジタルカメラ２のような入力装置、プリンタ３のような出力装置から構成されるシステムにおいて、実行ボタン４のような端末装置上の１つのボタンを押下するという単一操作により、例えば、入力装置を制御して画像の入力（撮影）を行ってその画像を端末装置内に取り込んだり、出力装置を制御してこの取り込まれた画像を出力（印刷）したり、端末装置からインターネットサービスプロバイダへアクセス（接続）してインターネットを利用して適当なホームページを開いたり、出力装置を制御して端末装置に表示されている画像を出力（印刷）したりすることができる。
【０１６１】
また、同様なシステムにおいて、リセットボタン１４のような出力装置上の１つのボタンを押下するという単一操作により、例えば、入力装置を制御して画像の入力（撮影）を行ってその画像を出力装置で出力（印刷）したり、端末装置を制御してインターネットサービスプロバイダへアクセス（接続）してインターネットを利用して適当なホームページを開いたりすることもできる。これらにより優れた操作性が得られる。また、従来の端末装置や出力装置に備えられている一般的に必要不可欠なボタンを利用することで、操作ボタンの総数を減らすことができ、大幅なコストダウンも図れる。
【０１６２】
また、本実施形態においては、端末装置の例として携帯電話１の例を挙げたが、この例に限られることなく、例えば携帯情報端末等の通信機能を備える任意の端末においても実現可能かつ有効である。
【０１６３】
さらに、本実施形態においては、入力装置の例としてデジタルカメラ２の例を挙げたが、この例に限られることなく、例えばスキャナ等の任意の入力装置においても実現可能かつ有効である。
【０１６４】
また、本実施形態においては、出力装置の例としてプリンタ３の例を挙げたが、この例に限られることなく、例えば大型ディスプレイ等の任意の出力装置においても実現可能かつ有効である。
【０１６５】
本実施形態においては、例として携帯電話の通信サービスにＰＨＳを使用したが、この通信サービスに限られることなく、同様な構成をとることにより、任意の通信サービスにおいて実現可能かつ有効である。
【０１６６】
本実施形態においては、例として携帯電話１、デジタルカメラ２、プリンタ３の間のインタフェースとして、Ｂｌｕｅｔｏｏｔｈ（登録商標）インタフェースを用いたが、このインタフェースに限られることなく、同様な構成をとることにより、任意のインタフェースにおいて実現可能かつ有効である。
【０１６７】
本実施形態においては、画像フォーマットの例としてＪＰＥＧ形式を用いたが、この画像フォーマットに限られることなく、同様な構成をとることにより、任意の画像フォーマットにおいて実現可能かつ有効である。
【０１６８】
本実施形態においては、圧縮フォーマットの例としてＪＰＥＧ形式を用いたが、この圧縮フォーマットに限られることなく、同様な構成をとることにより、任意の圧縮フォーマットにおいて実現可能かつ有効である。
【０１６９】
本実施形態においては、例として携帯電話１の実行ボタン４を押下した後の処理に対し、デジタルカメラ２での撮影、プリンタ３での印刷、携帯電話１でのインターネット利用の順に優先順位をつけて処理を行ったが、この例に限られることなく、目的に応じて、任意の優先順位をつけて実現可能かつ有効である。
【０１７０】
本実施形態においては、例としてプリンタ３のリセットボタン１４を押下した後の処理に対し、デジタルカメラ２での撮影、携帯電話１でのインターネット利用の順に優先順位をつけて処理を行ったが、この例に限られることなく、目的に応じて、任意の優先順位をつけて実現可能かつ有効である。
【０１７１】
本実施形態においては、例としてインターネットを利用したホームページの閲覧（ブラウジング）の機能を挙げたが、この例に限られることなく、同様な構成をとることにより、Ｅメールの閲覧（ブラウジング）等任意の機能において実現可能かつ有効である。
【０１７２】
以下、図１４に示すメモリマップを参照して本発明に係る端末装置およびデータ通信システムで読み出し可能なデータ処理プログラムの構成について説明する。
【０１７３】
図１４は、本発明に係る端末装置およびデータ通信システムで読み出し可能な各種データ処理プログラムを格納する記憶媒体のメモリマップを説明する図である。
【０１７４】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１７５】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１７６】
本実施形態における図８〜図１０，図１２，図１３に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１７７】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１７８】
この場合、記憶媒体から読み出されたプログラムコード自体が本発明の新規な機能を実現することになり、そのプログラムコードを記憶した記憶媒体は本発明を構成することになる。
【０１７９】
プログラムコードを供給するための記憶媒体としては、例えば、フレキシブルディスク，ハードディスク，光ディスク，光磁気ディスク，ＣＤ−ＲＯＭ，ＣＤ−Ｒ，磁気テープ，不揮発性のメモリカード，ＲＯＭ，ＥＥＰＲＯＭ等を用いることができる。
【０１８０】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１８１】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１８２】
上記実施形態によれば、１つの操作ボタンを単一操作するだけで、その時の携帯端末（ホスト）、デジタルカメラ（周辺機器）、プリンタ（周辺機器）の状態に応じて、期待される最適な各処理が行われるので、操作性を大きく向上できる。また、携帯端末の操作キーの総数も減らすことができ、大幅なコストダウンも図れる。
【０１８３】
また、さらに新しい機能として、プリンタの操作部の操作ボタンを単一操作により、デジタルカメラで撮影してその画像をプリンタにて印刷する機能や、プリンタからの操作により、携帯端末でインターネットサービスプロバイダに接続してインターネットを利用したＥメールやホームページのブラウジングを行って携帯端末上に表示し、携帯端末上で表示されている画像をプリンタにて印刷する機能も提供しているので、操作性をさらに向上できる。
【０１８４】
そして、以下（１）〜（１３）に示す個別的な効果も期待できる。
【０１８５】
（１）端末装置（携帯電話１）上の操作ボタン（実行ボタン４）の操作（押下）という単一操作でその状況に応じて期待される最適な各処理が行え、優れた操作性が得られる。
【０１８６】
（２）ホストの役割を担っている端末装置（携帯電話１）が、様々なアクションに対して、迅速かつ的確に対応できる。
【０１８７】
（３）緊急時の優れた操作性が得られる。
【０１８８】
（４）ユーザが求めている最適な印刷結果が得られる。
【０１８９】
（５）出力装置（プリンタ３）上の操作ボタン（リセットボタン１４）の操作という単一操作でその状況に応じて期待される最適な各処理が行え、優れた操作性が得られる。
【０１９０】
（６）ホストに対する周辺機器の役割を担っている出力装置（プリンタ３）が、他のホストからの要求も含めた様々なアクションに対して、迅速かつ的確に対応できる。
【０１９１】
（７）ユーザが求めている最適な印刷結果が得られる。
【０１９２】
（８）出力装置（プリンタ３）及びシステム全体の構成を簡単なものにでき、大幅なコストダウンを図れる。
【０１９３】
（９）入力装置（デジタルカメラ２）や端末装置（携帯電話１）から出力装置（プリンタ３）へ送信するデータ量が少なくなり、データ送信時間を大幅に短縮できる。
【０１９４】
（１０）余計な通信費の発生を防ぐことができる。
【０１９５】
（１１）本制御システムの構成を最適化でき、容易に実現できる。
【０１９６】
（１２）ボタンの総数を減らすことができ、大幅なコストダウンを図れる。
【０１９７】
（１３）出力装置（プリンタ３）がいかなる状態であっても出力装置（プリンタ３）が正常に動作するので、誤動作を未然に防ぐことができる。
【０１９８】
【発明の効果】
以上説明したように、本発明によれば、端末装置あるいは印刷装置の複数の操作キー中の１つの操作キーの操作指示に連動して、現在の入力装置，出力装置の動作状態の識別結果に従い、入力装置と通信可能な場合は第１の入力処理を選択し、出力装置と通信可能な場合は第１の出力処理を選択し、前記入力装置と通信不可能で、かつ前記出力装置と通信不可能な場合、第１の接続処理を選択することにより、複数の操作キー中の１つの操作キーを操作するというきわめて簡単な操作で、入力装置，出力装置を含むシステム全体の状況に応じて最適な操作指示を完了することができ、従来のシステム操作指示に比べて格段に操作性，利便性を向上できるデータ処理操作環境を整備できるという効果を奏する。
【図面の簡単な説明】
【図１】本発明の第１実施形態を示す端末装置を適用可能な画像処理システムの一例を示す図である。
【図２】図１に示した携帯電話のディスプレイに表示される内容を表す図である。
【図３】図１に示した携帯電話のディスプレイに表示される内容を表す図である。
【図４】図１に示した携帯電話のディスプレイに表示される内容を表す図である。
【図５】図１に示した携帯電話のディスプレイに表示される内容を表す図である。
【図６】図１に示した携帯電話のディスプレイに表示される内容を表す図である。
【図７】図１に示した携帯電話のディスプレイに表示される内容を表す図である。
【図８】本発明に係る移動体通信機器における第１のデータ処理手順の一例を示すフローチャートである。
【図９】本発明に係る移動体通信機器における第２のデータ処理手順の一例を示すフローチャートである。
【図１０】本発明に係る移動体通信機器における第３のデータ処理手順の一例を示すフローチャートである。
【図１１】本発明の第２実施形態を示す印刷装置におけるシステム状態表示例を示す図である。
【図１２】本発明に係る印刷装置における第１のシステム操作処理手順の一例を示すフローチャートである。
【図１３】本発明に係る印刷装置における第２のシステム操作処理手順の一例を示すフローチャートである。
【図１４】本発明に係る端末装置およびデータ通信システムで読み出し可能な各種データ処理プログラムを格納する記憶媒体のメモリマップを説明する図である。
【符号の説明】
１　携帯電話
２　デジタルカメラ
３　プリンタ
４　実行ボタン
５　ディスプレイ
６　Ｂｌｕｅｔｏｏｔｈ（登録商標）通信用アンテナ
７　Ｂｌｕｅｔｏｏｔｈ（登録商標）通信用アンテナ
８　Ｂｌｕｅｔｏｏｔｈ（登録商標）通信用アンテナ
９　スピーカ
１０　マイク
１１　終了ボタン
１２　汎用ボタン部
１３　シャッタ
１４　リセットボタン
１５　ＰＨＳ電波強度表示部
１６　バッテリ残量表示部
１７　日曜時表示部
１８　状態表示部
１９　インターネットサービスプロバイダ設定部
【図１】
2004112007.tif 000003
【図２】
2004112007.tif 000004
【図３】
2004112007.tif 000005
【図４】
2004112007.tif 000006
【図５】
2004112007.tif 000007
【図６】
2004112007.tif 000008
【図７】
2004112007.tif 000009
【図８】
2004112007.tif 000010
【図９】
2004112007.tif 000011
【図１０】
2004112007.tif 000012
【図１１】
2004112007.tif 000013
【図１２】
2004112007.tif 000014
【図１３】
2004112007.tif 000015
【図１４】
2004112007.tif 000016